(57)【要約】【課題】ユーザの検体等への接触や、検体等による装置の汚染を防止するとともに、輸送時や保管時に嵩張らないディスポーザブルパーツ廃棄箱を提供する。【解決手段】ディスポーザブルパーツ廃棄箱は、予め設けられた折り目にしたがってシート状部材を折り曲げることにより組み立てられ、組み立て後において、検体分析装置から使用済みディスポーザブルパーツを受け入れるための開口部を備えた上面部を有する。【選択図】図１
2008051607.tif 000002
【特許請求の範囲】
【請求項１】
検体分析装置に装着して用いられ、使用済みのディスポーザブルパーツを収容して廃棄するためのディスポーザブルパーツ廃棄箱であって、
予め設けられた折り目にしたがってシート状部材を折り曲げることにより組み立てられ、
組み立て後において、検体分析装置から使用済みディスポーザブルパーツを受け入れるための開口部を備えた上面部を有するディスポーザブルパーツ廃棄箱。
【請求項２】
前記シート状部材が紙からなる請求項１記載のディスポーザブルパーツ廃棄箱。
【請求項３】
前記シート状部材が紙基材と防水層とを備える請求項１記載のディスポーザブルパーツ廃棄箱。
【請求項４】
前記防水層は合成樹脂層である請求項３記載のディスポーザブルパーツ廃棄箱。
【請求項５】
前記上面部に取っ手が切り込み形成されている請求項１〜４のいずれか１項に記載のディスポーザブルパーツ廃棄箱。
【請求項６】
前記開口部は前記上面部の一端縁近傍に設けられている請求項１〜５のいずれか１項に記載のディスポーザブルパーツ廃棄箱。
【請求項７】
検体分析装置への装着時に内部の状態を視認するための視認窓を前記上面部に備えた請求項１〜６のいずれか１項に記載のディスポーザブルパーツ廃棄箱。
【請求項８】
前記シート状部材が、
その中央部に位置する長方形状の底面部と、
前記底面部の長辺側端縁の折り目により起立可能に形成された互いに相対する一対の第１側面部と、
前記底面部の短辺側端縁の折り目により起立可能に形成された互いに相対する一対の第２側面部と、
各第１側面部と各第２側面部との間に形成され内側に折り込み可能な４つの折り込み部と、
一方の第１側面部の前記底面部とは逆側の長辺側端縁の折り目にて折り返すことにより前記底面部と対向する第１上面部と、
他方の第１側面部の前記底面部とは逆側の長辺側端縁の折り目にて折り返すことにより前記第１上面部を覆う第２上面部と、を備えた請求項１〜７のいずれか１項に記載のディスポーザブルパーツ廃棄箱。
【請求項９】
前記第１上面部に第１取っ手が切り込み形成されるとともに、前記第２上面部に第２取っ手が切り込み形成され、
前記第２取っ手は前記第１取っ手とほぼ重なる位置に、その基部が前記第１取っ手の基部と逆側となるように形成されている請求項８記載のディスポーザブルパーツ廃棄箱。
【発明の詳細な説明】
【技術分野】
【０００１】
本発明は、血液、血清又は尿などの検体を分析する検体分析装置に装着され、使用済みのキュベットやピペットチップ等のディスポーザブルパーツを収容し、使用済みのディスポーザブルパーツとともに廃棄されるディスポーザブルパーツ廃棄箱に関する。
【背景技術】
【０００２】
キュベットおよびピペットチップ等のディスポーザブルパーツを使用して、血液、尿などの検体の分析を行う検体分析装置においては、使用済みのディスポーザブルパーツを回収するための回収機構が設けられることがある。
【０００３】
例えば、特許文献１には、使用済みのチップ等を使い捨ての回収容器に回収し、その回収容器を引き出し可能なトレイに載せ、スライダクランク機構を構成している駆動ベースにトレイを収納し、トレイの底に設けられた孔を介して下方から回収容器の底を押すことにより、使用済みのチップ等とともに回収容器をトレイから廃棄することを可能とする使い捨てチップの回収装置が開示されている。
【０００４】
また、特許文献２には、ピペットチップを複数個配列させることのできるカートリッジ部と、使用後のピペットチップを収納する廃棄トレイ部とを一体化させるとともに、使用済みのピペットチップとともに廃棄される廃棄トレイ付きチップカートリッジが開示されている。
【０００５】
上記の文献に開示される回収機構においては、回収容器に収容された使用済みのディスポーザブルパーツを回収容器ごと廃棄している。そのため、装置のユーザは使用済みのディスポーザブルパーツに直接触れる必要がなく、ユーザの検体等への接触を最小限に抑えることができる。また、装置に回収容器を装着することで、装置の汚染を最小限に抑えることもできる。
【０００６】
しかしながら、上記の回収容器では、未使用の回収容器をユーザに輸送する時や、ユーザがそれを保管する時に嵩張るという問題がある。
【０００７】
【特許文献１】特開平９−１２７１２７号公報
【特許文献２】特開平９−１２７１２８号公報
【発明の開示】
【発明が解決しようとする課題】
【０００８】
本発明は、ユーザの検体等への接触や、検体等による装置の汚染を防止するとともに、輸送時や保管時に嵩張らないディスポーザブルパーツ廃棄箱を提供するものである。
【課題を解決するための手段】
【０００９】
上記課題に鑑み、本願発明は、検体分析装置に装着して用いられ、使用済みのディスポーザブルパーツを収容して廃棄するためのディスポーザブルパーツ廃棄箱であって、予め設けられた折り目にしたがってシート状部材を折り曲げることにより組み立てられ、組み立て後において、検体分析装置から使用済みディスポーザブルパーツを受け入れるための開口部を備えた上面部を有するディスポーザブルパーツ廃棄箱を提供するものである。
【発明の効果】
【００１０】
本発明によれば、ユーザの検体等への接触や、検体等による装置の汚染を防止するとともに、輸送や保管を容易に行うことのできるディスポーザブルパーツ廃棄箱を提供することができる。
【発明を実施するための最良の形態】
【００１１】
以下、本発明に係るディスポーザブルパーツ廃棄箱の実施形態を、図面を参照しながら説明する。
【００１２】
本実施形態におけるディスポーザブルパーツ廃棄箱１（以下、廃棄箱１）は、図２に示されるように厚紙で形成されているとともに、後述する検体分析装置１００に装着可能な状態（図１参照）に組み立ておよび扁平な状態（図３参照）に折り畳むことが可能なように形成されている。組み立て後の廃棄箱１は、図１に示されるように、直方体形状を有している。廃棄箱１は、図１および図２に示されるように、第１上面部２と、第２上面部３と、底面部４と、正面部５と、背面部６と、側面部７と、側面部８とを有する。なお、廃棄箱１は、第１上面部２が第２上面部３の上に重なるよう組み立てられる。また、廃棄箱１を形成する厚紙の一面全体には厚さ約０．０３ｍｍのポリプロピレン層がラミネート加工により形成されており、廃棄箱１は、ポリプロピレン層の形成された面が内壁面をなすよう組み立てられる。また、組み立て後の廃棄箱１は、後述のキュベット２００を５００個以上収容することが可能な容積を有している。
【００１３】
図２は、廃棄箱１の展開図であり、背面側にポリプロピレン層の形成された面を設けている。図２に示されるように、第２上面部３と側面部７とは折線Ｌ１を介して連接され、側面部７と底面部４とは折線Ｌ２を介して連接され、底面部４と側面部８とは折線Ｌ３を介して連接され、側面部８と第１上面部２とは折線Ｌ４を介して連接されている。また、正面部５と底面部４とは折線Ｌ５を介して連接され、背面部６と底面部４とは折線Ｌ６を介して連接されている。なお、廃棄箱１は、Ｌ１〜Ｌ６をそれぞれ直角に山折りにして組み立てられる。
【００１４】
図１、図２に示されるように、第１上面部２の略中央部には、取っ手１０が切り込み形成されており、同様に、第２上面部３の略中央部には、取っ手１１が切り込み形成されている。より詳細には、取っ手１０は、把持部１０ａと把持部１０ａの下部に形成された開口である把持孔１０ｂとを有し、把持部１０ａは、切り込み１０ｃと基部１０ｄとを有する。切り込み１０ｃはＡ部分以外においては第１上面部２と切り離され、Ａ部分においては第１上面部２と繋がっている。Ａ部分は約３ｍｍの長さであって容易に切り離すことが可能であり、Ａ部分を切り離すことにより、取っ手１０を起立させることが可能となる。同様に、取っ手１１は、把持部１１ａと把持部１１ａの下部に形成された開口である把持孔１１ｂとを有し、把持部１１ａは、切り込み１１ｃと基部１１ｄとを有する。切り込み１１ｃはＢ部分以外においては第２上面部３と切り離されており、Ｂ部分においては第２上面部３と繋がっている。Ｂ部分は約３ｍｍの長さであって容易に切り離すことが可能であり、Ｂ部分を切り離すことにより、取っ手１１を起立させることが可能となる。組み立て後の廃棄箱１において、取っ手１０と取っ手１１とはほぼ重なる位置に設けられており、取っ手１０の基部１０ｄと取っ手１１の基部１１ｄとは互いに対向する位置に設けられている。このような取っ手１０と取っ手１１とは、それぞれが起立した状態（図４参照）において、ユーザにより、把持孔１０ｂと把持孔１１ｂとの両方に指を差し込まれることによって把持される。
【００１５】
また、第１上面部２は、取っ手１０と辺Ｌ７との間に略長方形状の開口部１２を有しており、同様に、第２上面部３は、取っ手１１と辺Ｌ８の間に略長方形状の開口部１３を有している。なお、開口部１２と開口部１３とは略同じ大きさおよび形状をなしているとともに、廃棄箱１が組み立てられたときに、開口部１２と開口部１３とは互いに一致するよう第１上面部２および第２上面部３にそれぞれ設けられている。また、開口部１２には透明なフィルムが被覆されている。
【００１６】
また、第２上面部３は、取っ手１１と辺Ｌ９との間の折線Ｌ１に沿った位置に、略正方形状の開口部１４を有している。また、第１上面部２は、第２上面部３の上に重ねられた際に開口部１４の上方に対応する部分を切り欠いて形成されている。
【００１７】
また、正面部５と側面部８とに連接して連結部２０が設けられており、側面部７と正面部５とに連接して連結部２１が設けられている。また、側面部８と背面部６とに連接して連結部２２が設けられており、背面部６と側面部７とに連接して連結部２３が設けられている。各連結部は、廃棄箱１の組み立て時に、折線Ｌ２０ａ、折線Ｌ２１ａ、折線Ｌ２２ａ、折線Ｌ２３ａをそれぞれ谷折りにして、廃棄箱１の内側に折り込まれるよう構成されている。
【００１８】
そして、第１上面部２の辺Ｌ１０には差込片３０が設けられるとともに、正面部５の折線Ｌ１１には差込片３０を差し込むための切り込み３０ａが設けられている。また、正面部５には折線Ｌ１１を介して差込フラップ２４が設けられており、廃棄箱１の組み立て時に折線Ｌ１１は山折りにされて、差込フラップ２４は第２上面部３の下方に差し込まれる。
【００１９】
また、第１上面部２の折線Ｌ１２には差込片３１が設けられ、第２上面部３の折線Ｌ１には差込片３１を差し込むための切り込み３１ａが設けられている。また、側面部７には差込片３２が設けられ、折線Ｌ１２には差込片３２を差し込むための切り込み３２ａが設けられている。
【００２０】
また、第１上面部２の辺Ｌ７には差込片３３が設けられ、背面部６の折線Ｌ１２には差込片３３を差し込むための切り込み３３ａが設けられている。また、背面部６には折線Ｌ１２を介して差込フラップ２５が設けられており、廃棄箱１の組み立て時に折線Ｌ１２は山折りにされて、差込フラップ２５は第２上面部３の下方に差し込まれる。
【００２１】
このように、折線Ｌ１〜Ｌ６および折線Ｌ１１，１２をそれぞれ山折りにするとともに、折線Ｌ２０ａ〜Ｌ２３ａをそれぞれ谷折りにして連結部２０〜２３を内側に折り込み、差込片３０〜３３を切り込み３０ａ〜３３ａにそれぞれ差し込み、差込フラップ２４，２５を第２上面部３の下方に差し込むことによって、廃棄箱１は図１に示される状態に組み立てられる。
【００２２】
また、折線Ｌ２、Ｌ３をそれぞれ山折りにし、折線Ｌ４を谷折りにすることによって、廃棄箱１は図３に示される扁平な状態に折り畳まれる。そのため、輸送時および保管時に嵩張らず、流通コストを低くすることができるとともに収納性を向上させることができる。
【００２３】
次に、図５〜図８を参照して、廃棄箱１を用いる検体分析装置１００について説明するとともに、検体分析装置１００における廃棄箱１の使用方法について説明する。
【００２４】
検体分析装置１００は血液凝固測定装置であり、検体として血漿を用いる。検体分析装置１００は、測定機構部１０１と、測定機構部１０１の前面側に配置された搬送機構部１０２と、測定機構部１０１に接続された情報処理装置１０３とにより構成されている。
【００２５】
測定機構部１０１は、搬送機構部１０２から供給された検体に対して光学的な測定を行うことにより、供給された検体に関する光学的な情報を取得する。図６に示す搬送機構部１０２のラック２５１に載置された試験管２５０に収容された検体は、先端部に使い捨てのピペットチップを装着したピペット２６０によって吸引され、測定機構部１０１に供給されたキュベット２００に分注される。このキュベット２００に分析に必要な試薬が分注され、試薬が分注された検体に所定の光を照射し、検体からの光を測定する。なお、測定機構部１０１によって取得された光学的な情報は情報処理装置１０３によって分析される。
【００２６】
また、測定機構部１０１には、使用済みのキュベット２００を廃棄するための廃棄用孔１８１と、廃棄用孔１８１の下方に設置された廃棄ボックス１８２とが設けられている。また、測定機構部１０１には、廃棄用孔１８１から所定の間隔を隔てて、廃棄用キャッチャ部１７４が設けられている。廃棄用キャッチャ部１７４は、使用済みのキュベット２００を把持し、廃棄用孔１８１を介して廃棄ボックス１８２に廃棄することが可能である。そして、廃棄ボックス１８２には、正面部５側が測定機構部１０１の内側に挿入されるよう、背面部６を手前にして廃棄箱１が収容される。
【００２７】
なお、使用済みのキュベット２００内には検体と試薬の凝固物とともに若干の液体成分が付着残留している。上述したように廃棄ボックス１８２に廃棄箱１を装着し、使用済みキュベット２００を廃棄箱１に収容するようにしたため、廃棄ボックス１８２や検体分析装置１００への液体成分による汚染を防止することができる。また、廃棄箱１ごとキュベット２００を廃棄できるので、ユーザは使用済みのキュベット２００に直接触れることがない。そのため、ユーザが残留した液体成分に触れることを防止することができる。また、使用済みのキュベット２００を直接廃棄ボックス１８２に収容すると、残留した液体成分が廃棄ボックス１８２の底部に固着する場合がある。このような場合、廃棄ボックス１８２に固着したキュベット２００を専用の手袋を装着して剥ぎ取る作業が必要となるが、廃棄箱１ごとキュベット２００を廃棄できることにより、ユーザはキュベット２００の廃棄時に手袋を装着する必要が無くなる。
【００２８】
さらに、組み立て後の廃棄箱１の内壁面には、防水層としてポリプロピレン層が形成されている。そのため、使用済みのキュベット２００に残留する液体成分が、厚紙によって形成されている廃棄箱１の内壁面に付着したとしても、その液体成分が廃棄箱１から染み出すことを防止することができる。従って、ユーザの検体等への接触や、検体等による廃棄ボックス１８２等の汚染をさらに抑制することができる。
【００２９】
そして、廃棄箱１を収容した廃棄ボックス１８２は、図７に示されるように、ユーザによって、測定機構部１０１に水平方向に挿入されるとともに、キュベット２００の廃棄時には、測定機構部１０１から水平方向に引き出される。なお、廃棄箱１の取っ手１０は切り込み１０ｃのＡ部分によって第１上面部２と繋がっているため、ユーザがＡ部分を切って引き起こすまで取っ手１０は第上面部２の平面内に収容された状態となっている。そのため、ユーザが廃棄箱１を収容した廃棄ボックス１８２を測定機構部１０１に対して挿入あるいは引出しを行う際に、取っ手１０が引っかかったりすることがなく円滑に操作することができる。また、測定機構部１０１が取っ手１０のための空間を特別に備える必要も無くなる。
【００３０】
また、測定機構部１０１から引き出された廃棄ボックス１８２から廃棄箱１を取り出す際、第１上面部２に切り込み形成されている取っ手１０と第２上面部３に切り込み形成されている取っ手１１とがユーザによって起立されることにより、廃棄箱１は図４に示す状態となる。このような状態となることにより、ユーザは、把持孔１０ｂおよび把持孔１１ｂとに指を差し込んで取っ手１０および取っ手１１とを把持することによって、廃棄ボックス１８２から廃棄箱１を容易に取り出すことができる。
【００３１】
また、廃棄箱１には、液体成分が残留しているキュベット２００が５００個以上収容されるため、廃棄ボックス１８２から廃棄箱１を取り出す際には、廃棄箱１の重量は大きくなる。そのため、廃棄箱１の取っ手部分には大きな強度が必要となるが、廃棄箱１は取っ手１０と取っ手１１とが同時に把持されるよう形成されているため、１つの取っ手にかかる重量は少なくなる。従って、大きな重量の廃棄箱１を容易に廃棄ボックス１８２から取り出すことができる。
【００３２】
また、測定機構部１０１は、廃棄ボックス１８２を測定機構部１０１に挿入した状態において、図８に示されるように、廃棄ボックス１８２に収容された廃棄箱１の開口部１４に対応する位置にシュート１８３の下端部が位置するよう構成されている。シュート１８３は、廃棄箱１の正面部５側の廃棄ボックス１８２の外方に、水平方向に対して斜下方へ傾倒している。なお、シュート１８３の上方には、シュート１８３を覆うカバー１８４が設けられている。廃棄用キャッチャ部１７４により廃棄用孔１８１に投入されたキュベット２００は、シュート１８３を滑落して開口部１４を介して廃棄箱１に収容される。なお、開口部１４は、シュート１８３の下端部側の廃棄箱１の上面の一端に位置している。シュート１８３を斜下方に滑落してきたキュベット２００は水平方向成分の運動量を有するため、シュート１８３の下端部から斜下方に飛び出したキュベット２００は廃棄箱１の内部の奥まで移動する。そのため、上述のように、シュート１８３の下端側の廃棄箱１の上面の一端に開口部１４を設けることにより、廃棄箱１にできるだけ多くのキュベット２００を収容することができ、廃棄箱１内部のデッドスペースを減少させることができる。
【００３３】
また、測定機構部１０１には、廃棄箱１を収容した廃棄ボックス１８２を装着した際の、廃棄箱１の開口部１２および開口部１３の上方にあたる位置に開口部１１０が設けられている。そのため、廃棄箱１を収容した廃棄ボックス１８２を測定機構部１０１から引き出すことなく、廃棄箱１の開口部１２、開口部１３および測定機構部１０１の開口部１１０を介して、ユーザは、廃棄箱１の内部の状態、例えば、廃棄箱１に収容されてあるキュベット２００の量を確認することが可能となる。また、開口部１２は透明なフィルムで被覆されているため、廃棄箱１に廃棄されたキュベット２００に残留する液体成分の飛散防止を図ることも可能となる。
【００３４】
なお、上記実施形態では、廃棄箱１を血液凝固測定装置に用いる例を示したが、血液凝固測定装置に限定されるものではなく、生化学分析装置、免疫分析装置、遺伝子増幅検出装置など、ディスポーザブルパーツを用いる検体分析装置に用いることができる。
【００３５】
また、上記実施形態では、廃棄箱１にキュベットを収容して廃棄するようにしたが、例えば、ピペットチップを収容して廃棄するようにしてもよい。
【００３６】
また、上記実施形態では、シート状部材としてポリプロピレン層が形成された厚紙を用いたが、厚紙単独、プラスチックや金属でシート状部材を構成してもよい。
【００３７】
また、上記実施形態では、防水層としてポリプロピレン層が形成されたが、防水層を構成する材料としてはポリプロピレンに限定されるものではなく、例えば、ポリエチレン、ポリ塩化ビニル、ポリエチレンテレフタレート、などの高分子材料や酸化ケイ素などを用いることができる。
【００３８】
また、本実施形態では、厚紙（紙基材）の片面に防水層が形成されたシート状部材を用いたが、厚紙（紙基材）の両面に防水層が形成されたシート状部材、複数の紙基材と防水層とを積層したシート状部材等を用いてもよい。
【００３９】
また、上記実施形態の廃棄箱１は全体が紙で形成されているので、廃棄箱１を安価に製造することができる。
【図面の簡単な説明】
【００４０】
【図１】本発明の一実施形態による廃棄箱の組み立て後の外観を示す斜視図である。
【図２】本発明の一実施形態による廃棄箱の組み立て前の状態を示す展開図である。
【図３】本発明の一実施形態による廃棄箱を扁平な状態に折り畳んだときの外観を示す図である。
【図４】本発明の一実施形態による廃棄箱の取っ手が起立した状態を示す斜視図である。
【図５】本発明の一実施形態による廃棄箱を装着する検体分析装置の全体を示す斜視図である。
【図６】本発明の一実施形態による廃棄箱を装着する検体分析装置の測定機構部を示す図である。
【図７】本発明の一実施形態による廃棄箱を収容した廃棄ボックスを検体分析装置に挿入する時の状態を示す斜視図である。
【図８】本発明の一実施形態による廃棄箱内部にキュベットが収容されている状態を示す図である。
【符号の説明】
【００４１】
１  ディスポーザブルパーツ廃棄箱
２  第１上面部
３  第２上面部
４  底面部
５  正面部
６  背面部
７  側面部
８  側面部
１０  取っ手
１０ａ  把持部
１０ｂ  把持孔
１０ｃ  切り込み
１０ｄ  基部
１１  取っ手
１１ａ  把持部
１１ｂ  把持孔
１１ｃ  切り込み
１１ｄ  基部
１２〜１４  開口部
２０〜２３  連結部
２４，２５  差込フラップ
３０〜３３  差込片
３０ａ〜３３ａ  切り込み
１００  検体分析装置
２００  キュベット
Ｌ１〜Ｌ６、Ｌ１１，１２、Ｌ２０ａ〜Ｌ２３ａ  折線
Ｌ７〜Ｌ１０  辺
【図１】
2008051607.tif 000003
【図２】
2008051607.tif 000004
【図３】
2008051607.tif 000005
【図４】
2008051607.tif 000006
【図５】
2008051607.tif 000007
【図６】
2008051607.tif 000008
【図７】
2008051607.tif 000009
【図８】
2008051607.tif 000010